(57)【要約】【課題】通水管を扁平化することで、管内の磁束密度を全体的に大きくした異極対向式の磁気活水器において、通水の更なる活性化向上を図ること。【解決手段】扁平管の内側であって、対向する磁極による磁場が有効に作用する部分に突起を設け、管内の水流を層流から局所的に乱流にすることで水を攪拌し、通水全体が平均的に磁場の影響を受けるようにすることにより、活性化率を向上させる。【選択図】図４
2020069461.tif 000002
【特許請求の範囲】
【請求項１】
異極対向式の磁気活水器において、一対の磁極間の距離を近づけ、通水への活水化作用を大きくするために、通水管の磁石取り付け部を、円筒管を押圧整形した扁平押圧管あるいは扁平角形管とし、活性化率を向上させるために上記一対の磁極が互いに対向する部分の管内側に、１個以上の隘路部を設けたことを特徴とする磁気活水器。
【請求項２】
異極対向式の磁気活水器において、一対の磁極間の距離を近ずけ、通水への活性化作用を大きくするために、通水管の磁石取り付け部を、円筒管を押圧整形した扁平押圧管あるいは扁平角形管とし、活性化率を向上させるために上記磁石取り付け部に複数組の磁石セットを配置し、上記管内側であって上記複数組の磁石セットの間の部分に、１個以上の隘路部を設けたことを特徴とする磁気活水器。
【請求項３】
上記扁平押圧管あるいは扁平角形管内部の上記隘路部は、管を上下から押圧してできる凹みを利用していることを特徴とする請求項２に記載の磁気活水器。
【請求項４】
請求項１または２記載の扁平押圧管あるいは扁平角形管の内側に隘路部が介在している通水管として、円筒管の内側に凹凸のある蛇腹管あるいは螺旋管を押圧扁平化し、その内側凹凸部を隘路部として活用したことを特徴とする磁気活水器。
【発明の詳細な説明】
【技術分野】
【０００１】  本発明は、磁場の作用を利用して水を活性化させる磁気活水器に関するものである。
【背景技術】
【０００２】  磁気活水器は一対の磁石でＮ極、Ｓ極を対極させ、その間に通水管を介在させて磁場の中を通水することで、水を活性化させる構造である。【０００３】  磁気活水器で、水を活性化させるためにはより強力な磁場と、通過する水の速度がより大きいことが必須条件となっている。【０００４】  磁石の磁場の強さは、磁束密度の大小によって表現されるが、この磁束密度はＮ，Ｓ極間の距離の２乗に反比例して減少すると言われているため、各磁極の表面で最も高く、磁極間の中間部分が一番小さくなるという特性がある。【０００５】  このような磁石の特性のため、通水管の直径が大きいほどその中心部の磁束密度は急激に減少する。そのため、活性化効率を上げるためには磁石をより強力なものにすること、または通水管の磁石取り付け部を扁平な形に押圧加工して、磁極間の距離を近くし管内全体の磁束密度を大きくする必要があり、後者については、特許文献１に記載されている。【０００６】  磁極をより強力なものにするためには、磁石の容積を大型化する必要があるが、通常使用されているネオジム磁石は高価であり、大型化は即コストアップにつながる。また、磁石が強力なため、取り扱い性がますます難しくなり、作業性が悪く、危険も伴う。【０００７】  通水管を扁平な形にすると、管内の磁束密度もその扁平化に伴って大きくなり、かつ、流速も増加するが、管内の隙間が小さくなって管内抵抗が増加し、流量が低下してしまう。
【先行技術文献】
【特許文献】
【０００８】
【特許文献１】特開平１１−３４７５６０
【特許文献２】特開２００６−２１２４９０
【発明の概要】
【発明が解決しようとする課題】
【０００９】  解決しようとする問題点は、磁石の強度を上げず、また、通水管の扁平度を通常使用限度内に抑制すれば、それ以上に水の活性度を向上させることは難しいという点にある。【００１０】  それは、図１のごとく水が通水管３を流れる場合、管の形状が円筒管であれ、扁平管であれ層流５となっており、管壁６（磁束密度が最も高い部分）は管との接触抵抗で水流が最も遅く、管の中心部分（磁束密度が最も低い部分）では抵抗が低いため最も速くなっていて、これが活性度限界の原因となっている。
【課題を解決するための手段】
【００１１】  本発明は、扁平通水管の内壁に１個ないし複数個の隘路部を介在させることで、水の活性力を向上させつつ、管内抵抗の増加を抑制できることを特徴とする。【００１２】  即ち、本発明では隘路部を形成するために、図２の如く水流に対して直角方向に、半円形で滑らかな形の一対の突起９を対向して設け、水流抵抗を極力低減できる構造とし、また、活性化率を更に向上すべく、この一対の突起セットを通水管の長手方向に離間させて２個配置した。
【発明の効果】
【００１３】  通水管の内側に隘路部を設けると、この部分で水流は局所的乱流となり、攪拌されて水全体が平均的に磁場の影響を受けることになり、活性化率が向上する。本発明では、この隘路部の構造を最適化することにより水流抵抗が大きくならないようにしている。【００１４】  即ち、本発明では、磁石は従来のものを使用し乱流用の特別の部品も使用していないため、安価で水全体を乱流化しつつ流速も阻害せず、活水器の最適構造を提供するものである。
【図面の簡単な説明】
【００１５】
【図１】  通水管内部の水の流れ状態図である。
【図２】  本発明の一実施例である磁気活水器の断面図である。
【図３】  図２のＰ方向視図である。
【図４】  本発明の他の実施例である。
【図５】  本発明の更に他の実施例である。
【発明を実施するための形態】
【００１６】  図４は、本発明の他の実施例で、図２の磁石１，２をコスト低減および作業性向上のため、長さを１／３ずつ３個に分割設置し、その各々の中間部に扁平管を局部的に押圧して凹み１１（内部に出張り）を設けたもので、内側突起の形状も滑らかなものとなり、図２の如き突起９として別部品を必要とせず、安価な構造で目的を達成することができる。
【００１７】  本実施例において、通水管３の直径が１２ｍｍ程度である場合、管扁平部の厚さは約９ｍｍとし、管凹み部１１の深さは約１．５ｍｍとした。この深さは図２に示す実施例における突起９の高さに相当するものである。
【００１８】  図５に、本発明の更に他の実施例を示す。本実施例においては、扁平押圧管あるいは偏平角形管の管内側に隘路部を設ける方式の代案として、元々管内側に凹凸をもつ蛇腹管または螺旋管１２を押圧して扁平部１３とし、磁気活水器を構成する。このような形のため、通水４は突起１４によって磁石対向部の上流から乱流１５となって磁気活水器に流入し、管１２の内側には、磁極の対向する部分及び磁極の中間部分を含めて、突起１４が存在するので、３個の磁気活水器全体内部を乱流となりながら通過して、活性度を向上させることができる。
【００１９】  本実施例における蛇腹管あるいは螺旋管の材質は、非磁性材であれば金属、非金属どちらでもよく、また、この偏平形状を維持できる強度（または別補強材による維持）であれば機能上問題ない。
【００２０】  上述したように、本発明においては、局部的乱流を生ぜしめる隘路部（突起９、管凹み部１１および突起１４）の上流側及び下流側の双方に、一対の磁極が存在するように配置することが重要である。このように配置することにより、局所的乱流と磁場の相互作用が効果的に発生し、活性化が促進される。尚、特許文献２には磁界管の上流のみに乱流を生起させる部材を配置する例が示されているが、水道管内には水圧がかかっているため乱流は消滅しやすく、本発明のごとき効果の達成は難しい。
【符号の説明】
【００２１】  １  磁石（Ｎ極）
２  磁石（Ｓ極）
３  通水管
４  水流方向
５  層流
６  管壁
７  水流（中心部）
８  管偏平部
９  突起
１０  乱流
１１  管凹み部
１２  蛇腹管または螺旋管
１３  蛇腹管または螺旋管の偏平部
１４  蛇腹管または螺旋管の内側突起
１５  乱流
【図１】
2020069461.tif 000003
【図２】
2020069461.tif 000004
【図３】
2020069461.tif 000005
【図４】
2020069461.tif 000006
【図５】
2020069461.tif 000007